(57)【要約】【課題】有料テレビ放送局のテレビ放送を視聴したテレビ受信装置の受信料に係わる金銭的負担をＣＭの視聴度合いに応じて軽減し得る広告情報提供システム及び広告情報提供方法の提供【解決手段】専用受信機９は公共放送局の放送３を受信してメモリに記憶すると共に、ＣＭ提供会社７から送信されるＣＭ１０を受信し、番組に挿入可能に対応付けてメモリに記憶する。再生時にはメモリに記憶されている公共放送局４の放送３の番組及びその間に挿入するＣＭ１０がメモリから読み出され、テレビ受信装置３１で再生されるので、契約ユーザ１はＣＭ１０付き公共放送局放送３の番組を視聴することができる。また、再生時にＣＭ１０の視聴回数がカウントされＣＭ提供会社７のサーバに送信される。ＣＭ提供会社７は契約ユーザ１のＣＭ視聴回数に応じてＣＭ視聴料を算出し、契約ユーザ１に支払う。【選択図】　図１
2004112441.tif 000002
【特許請求の範囲】
【請求項１】
ＣＭ提供会社との契約ユーザが備えている受信装置であって、テレビ放送番組を受信する放送番組受信手段と、テレビ放送番組受信時にＣＭ提供会社が送信するＣＭを受信するＣＭ受信手段と、前記放送番組受信手段によって受信されたテレビ放送番組に前記ＣＭ受信手段で受信したＣＭを挿入可能に関連付けてメモリに記憶する番組記憶制御手段と、前記メモリに記憶されているＣＭを挿入したテレビ放送番組を再生する番組再生手段と、前記番組再生手段による番組再生時にＣＭ視聴情報を取得するＣＭ視聴情報取得手段と、前記ＣＭ視聴情報取得手段によって取得されたＣＭ視聴情報を前記ＣＭ提供会社のサーバに送信するＣＭ視聴情報送信手段と、を備えた受信装置と、
前記受信装置から受信するＣＭ視聴情報を蓄積するＣＭ視聴情報蓄積手段と、前記ＣＭ視聴情報蓄積手段によって蓄積されたＣＭ視聴情報を基に前記各契約ユーザに支払うためのＣＭ視聴料を算出するＣＭ視聴料算出手段と、を備えたサーバと、
からなることを特徴とする広告情報提供システム。
【請求項２】
ＣＭ提供会社との契約ユーザが備えている受信装置であって、視聴したいテレビ放送番組の予約設定を行う番組予約手段と、前記予約設定されたテレビ放送番組を受信する放送番組受信手段と、前記予約設定されたテレビ放送番組受信時にＣＭ提供会社が送信するＣＭを受信するＣＭ受信手段と、前記放送番組受信手段によって受信されたテレビ放送番組に前記ＣＭ受信手段で受信したＣＭを挿入してメモリに記憶する番組記憶制御手段と、前記予約手段によって予約設定された予約放送番組情報を表示する予約番組情報表示手段と、前記表示された予約放送番組情報のうちの前記メモリに記憶された放送番組の再生指示を行う番組再生指示手段と、前記メモリに記憶されているＣＭを挿入したテレビ放送番組のうち前記番組再生指示手段によって再生指示された番組を再生する番組再生手段と、前記番組再生手段による番組再生時にＣＭ視聴情報を取得するＣＭ視聴情報取得手段と、前記ＣＭ視聴情報取得手段によって取得されたＣＭ視聴情報を前記ＣＭ提供会社のサーバに送信するＣＭ視聴情報送信手段と、を備えた受信装置と、
前記受信装置から受信するＣＭ視聴情報を蓄積するＣＭ視聴情報蓄積手段と、前記ＣＭ視聴情報蓄積手段によって蓄積されたＣＭ視聴情報を基に前記各契約ユーザに支払うためのＣＭ視聴料を算出するＣＭ視聴料算出手段と、を備えたサーバと、
からなることを特徴とする広告情報提供システム。
【請求項３】
前記テレビ放送番組は有料テレビ放送番組であることを特徴とする請求項１又は２記載の広告情報提供システム。
【請求項４】
テレビ放送番組にＣＭを付加してメモリに記憶する番組記憶制御手段と、前記メモリに記憶されているＣＭを付加したテレビ放送番組を有線回線を介して複数の契約ユーザが備える受信装置に送信する番組送信手段と、を備えたＣＡＴＶ局の有線テレビ番組送受信装置と、
前記ＣＡＴＶ局との各契約ユーザが備える受信装置であって、有線テレビ放送番組を受信して番組再生手段に送信するテレビ放送番組送受信手段と、前記番組再生手段へのテレビ放送番組の送信時に前記有線テレビ番組送受信装置側で付加したＣＭの視聴情報を取得するＣＭ視聴情報取得手段と、前記ＣＭ視聴情報取得手段によって取得されたＣＭ視聴情報をサーバに送信するＣＭ視聴情報送信手段と、を備えた受信装置と、
前記契約ユーザが備える受信装置から受信するＣＭ視聴情報を蓄積するＣＭ視聴情報蓄積手段と、前記ＣＭ視聴情報蓄積手段によって蓄積されたＣＭ視聴情報を基に前記各契約ユーザに支払うためのＣＭ視聴料を算出するＣＭ視聴料算出手段と、を備えた前記サーバと、
からなることを特徴とする広告情報提供システム。
【請求項５】
テレビ放送番組にＣＭを付加してメモリに記憶する番組記憶制御手段と、前記メモリに記憶されているＣＭを付加したテレビ放送番組を有線回線を介して複数の契約ユーザの受信装置に送信する番組送信手段と、を備えたＣＡＴＶ局の有線テレビ番組送受信装置と、
前記ＣＡＴＶ局との各契約ユーザが備える受信装置であって、視聴したいテレビ放送番組の予約設定を行う番組予約手段と、前記予約設定されたテレビ放送番組を受信する放送番組受信手段と、前記放送番組受信手段によって受信されたテレビ放送番組を記憶するメモリと、前記予約手段によって予約設定された予約放送番組情報を表示する予約番組情報表示手段と、前記表示された予約放送番組情報のうち前記メモリに記憶された放送番組の再生指示を行う番組再生指示手段と、前記メモリに記憶されているテレビ放送番組のうち前記番組再生指示手段によって再生指示された番組を再生する番組再生手段と、前記番組再生手段による番組再生時に前記有線テレビ番組送受信装置側で付加したＣＭの視聴情報を取得するＣＭ視聴情報取得手段と、前記ＣＭ視聴情報取得手段によって取得されたＣＭ視聴情報を前記ＣＭ提供会社のサーバに送信するＣＭ視聴情報送信手段と、を備えた受信装置と、
前記契約ユーザの受信装置から受信するＣＭ視聴情報を蓄積するＣＭ視聴情報蓄積手段と、前記ＣＭ視聴情報蓄積手段によって蓄積されたＣＭ視聴情報を基に前記各契約ユーザに支払うためのＣＭ視聴料を算出するＣＭ視聴料算出手段と、を備えたサーバと、
からなることを特徴とする広告情報提供システム。
【請求項６】
前記番組再生手段は前記受信装置を接続したテレビ受信装置であることを特徴とする請求項１又は請求項４記載の広告情報提供システム。
【請求項７】
ＣＭ提供会社との契約ユーザが備えている受信装置において、テレビ放送番組を受信する工程と、テレビ放送番組受信時にＣＭ提供会社が送信するＣＭを受信する工程と、前記受信されたテレビ放送番組に前記ＣＭ受信したＣＭを付加してメモリに記憶する工程と、前記メモリに記憶されているＣＭ付加済みテレビ放送番組を再生する工程と、前記番組再生時にＣＭ視聴情報を取得する工程と、前記取得されたＣＭ視聴情報を前記ＣＭ提供会社のサーバに送信する工程と、を備え、
前記ＣＭ提供会社のサーバにおいて、前記受信装置からＣＭ視聴情報を受信してメモリに蓄積する工程と、前記蓄積されたＣＭ視聴情報を基に前記各契約ユーザに支払うためのＣＭ視聴料を算出する工程と、を備えた、
ことを特徴とする広告情報提供方法。
【請求項８】
ＣＭ提供会社との契約ユーザが備えている受信装置において、視聴したいテレビ放送番組の予約設定を行う工程と、前記予約設定されたテレビ放送番組を受信する工程と、前記予約設定されたテレビ放送番組受信時にＣＭ提供会社が送信するＣＭを受信する工程と、前記受信されたテレビ放送番組に前記受信したＣＭを付加してメモリに記憶する工程と、前記メモリに記憶された放送番組の再生指示を行う工程と、前記メモリに記憶されているＣＭ付加済みのテレビ放送番組のうち前記番組再生指示手段によって再生指示された番組を再生する工程と、前記番組再生時にＣＭ付加済みの番組の視聴情報を取得する工程と、前記取得されたＣＭ視聴情報を前記ＣＭ提供会社のサーバに送信する工程と、を備え、
前記ＣＭ提供会社のサーバにおいて、前記受信装置から受信するＣＭ視聴情報を蓄積する工程と、前記蓄積されたＣＭ視聴情報を基に前記各契約ユーザに支払うためのＣＭ視聴料を算出するＣＭ視聴料算出手段と、を備えた、
ことを特徴とする広告情報提供方法。
【請求項９】
ＣＡＴＶ局の有線テレビ番組送受信装置において、テレビ放送番組にＣＭを付加してメモリに記憶する工程と、前記メモリに記憶されているＣＭを付加したテレビ放送番組を有線回線を介して契約ユーザが備えている受信装置に送信する工程と、を備え、
前記ＣＡＴＶ局との契約ユーザが備えている受信装置において、有線テレビ放送番組を受信して番組再生手段に送信する工程と、前記番組再生手段へのテレビ放送番組の送信時に前記有線テレビ番組送受信装置側で付加したＣＭの視聴情報を取得する工程と、前記取得したＣＭ視聴情報を前記ＣＡＴＶ局のサーバに送信する工程と、を備え、
前記ＣＡＴＶ局のサーバにおいて、前記契約ユーザが備えている受信装置から受信するＣＭ視聴情報を蓄積する工程と、前記蓄積されたＣＭ視聴情報を基に前記各契約ユーザに支払うためのＣＭ視聴料を算出する工程と、を備えた、
ことを特徴とする広告情報提供方法。
【請求項１０】
ＣＡＴＶ局の有線テレビ番組送受信装置において、テレビ放送番組にＣＭを付加してメモリに記憶する工程と、前記メモリに記憶されているＣＭを付加したテレビ放送番組を有線回線を介して契約ユーザが備えている受信装置に送信する工程と、を備え、
前記ＣＡＴＶ局との契約ユーザが備えている受信装置において、視聴したいテレビ放送番組の予約設定を行う工程と、前記予約設定されたテレビ放送番組を受信する工程と、前記放送番組受信手段によって受信されたテレビ放送番組をメモリに記憶する工程と、前記メモリに記憶された放送番組の再生指示を行う工程と、前記メモリに記憶されているテレビ放送番組のうち前記再生指示された番組を再生する工程と、前記番組再生時に前記有線テレビ番組送受信装置側で付加したＣＭの視聴情報を取得する工程と、前記取得されたＣＭ視聴情報を前記サーバに送信する工程と、を備え、
前記ＣＡＴＶ局のサーバにおいて、前記契約ユーザが備えている受信装置から受信するＣＭ視聴情報を蓄積する工程と、前記蓄積されたＣＭ視聴情報を基に前記各契約ユーザに支払うためのＣＭ視聴料を算出する工程と、を備えた、
ことを特徴とする広告情報提供方法。
【発明の詳細な説明】
【０００１】
【発明の属する技術分野】
本発明は広告情報の提供システムであって、有料テレビ放送番組にＣＭ（Ｃｏｍｍｅｒｃｉａｌ　Ｍｅｓｓａｇｅ）を挿入し、ＣＭを視聴した契約ユーザに対しＣＭ視聴料を支払うことにより契約ユーザの有料放送視聴に係わる金銭負担を軽減する広告情報提供システムに関する。
【０００２】
【従来の技術】
テレビジョン放送とは独立して放送されるＣＭ（Ｃｏｍｍｅｒｃｉａｌ　Ｍｅｓｓａｇｅ）をＴＶ放送の途中に置換又は挿入して視聴者に視聴させる技術がある（例えば、特許文献１）。
【０００３】
また、放送プログラム（テレビ放送番組）中に広告を挿入して放送するデジタル放送における広告提供方法であって、受信した放送プログラム中の広告と予め記憶してある複数の広告とのなかから視聴者に適していると推定される広告を自動的に選択し、予め記憶してある広告を選択した場合は受信した広告を選択した広告で置換して選択した広告を出力するようにした技術がある（例えば、特許文献２）。
【０００４】
また、受信料を必要とするテレビ放送についてそのテレビ放送番組にＣＭを挿入した放送の受信を行うことを条件にＣＭ付番組送信装置の運営者が受信者の受信料を肩代わりする受信料支払代行システムが提案されている（例えば、未公開特許文献１）。
【０００５】
また、大容量のハードディスクを内蔵し、映像と音声をデジタル信号に変換してハードディスクに記録するハードディスクビデオレコーダが市販されている（例えば、非特許文献１）。
【０００６】
【特許文献１】
特開２００１−２９８６７２公報
【特許文献２】
特開２００２−１２５１６６公報
【未公開特許文献１】
特願２００１−０９９１３５
【非特許文献１】
ハードディスクレコーダ、［平成１４年８月２２日検索］、インターネット、＜ＵＲＬ：ｈｔｔｐ：／／ｄｙｎａｂｏｏｋ．ｃｏｍ／ｐｃ／ｃａｔａｌｏｇ／ｗｈｍｓ／０２０５２０ｔ１／ｈｄｄｒｅｃ．ｈｔｍ＞
【０００７】
【発明が解決しようとする課題】
公共放送局、例えば日本放送協会はテレビジョン（以下、テレビ）受信装置の所有者と契約し、徴収した受信料を収入源として運営がなされている。つまり、公共放送局のテレビ放送番組は有料テレビ放送番組である。
【０００８】
これに対し、民間テレビ放送局各社はそのほとんどが他社企業からの番組提供料や広告料を収入源として運営しており、視聴者は番組の間に挿入されるＣＭを見る代わりに民間テレビ放送局に受信料を支払う必要がない。
【０００９】
ここで、公共放送局のような有料テレビ放送局の受信料の負担を実質的に軽減できれば有料テレビ放送局のテレビ放送番組の視聴率の向上が期待できる。
【００１０】
しかしながら、上記特許文献１には、テレビジョン放送とは独立して放送されるＣＭをテレビ放送の途中に置換又は挿入する技術及び番組の放送信号とＣＭのＡＶ信号を判別する機能を有する受信装置を無料又は格安で視聴者に供与するようなサービスが実現可能であることは開示されているが、公共放送局のような有料テレビ放送番組の視聴者の受信料にかかわる経済的負担を軽減する方法については開示されていない。
【００１１】
また、特許文献２にはテレビ放送番組に挿入されている広告と予め記憶してある複数の広告を自動選択して再生可能とする技術およびこの技術により視聴者に適した広告を提供し、広告の効果をあげ得ることが開示されているが、上記特許文献１と同様に、公共放送局のような有料テレビ放送番組の視聴者の受信料にかかわる経済的負担を軽減する方法については開示されていない。
【００１２】
一方、上記未公開特許文献１に記載の発明によれば公共放送のように受信料を必要とする有料テレビ放送についてそのテレビ放送番組にＣＭを挿入した放送の受信を行うことを条件に受信者の受信料を肩代わりするのでＣＭ付番組送信装置の運営者と受信契約を行った有料テレビ放送の視聴者は経済的負担なしに公共放送を視聴することができる。
【００１３】
しかしながら、上記未公開特許文献１に記載の発明では受信契約を行った有料テレビ放送の視聴者によるＣＭ付番組の視聴頻度に拘わらず受信者の受信料を肩代わりするので、ＣＭ付番組の視聴頻度が少ない場合にも受信料を肩代わりするといった不都合が生じる可能性があった。
【００１４】
本発明は、公共放送局のような有料テレビ放送局のテレビ放送を視聴したテレビ受信装置の受信料に係わる金銭的負担をＣＭの視聴度合いに応じて軽減し得る広告情報提供システム及び広告情報提供方法の提供を目的とする。
【００１５】
【課題を解決するための手段】
上記課題を解決するために、第１の発明の広告情報提供システムは、ＣＭ提供会社との契約ユーザが備えている受信装置であって、テレビ放送番組を受信する放送番組受信手段と、テレビ放送番組受信時にＣＭ提供会社が送信するＣＭを受信するＣＭ受信手段と、放送番組受信手段によって受信されたテレビ放送番組にＣＭ受信手段で受信したＣＭを挿入可能に関連付けてメモリに記憶する番組記憶制御手段と、メモリに記憶されているＣＭを挿入したテレビ放送番組を再生する番組再生手段と、番組再生手段による番組再生時にＣＭ視聴情報を取得するＣＭ視聴情報取得手段と、ＣＭ視聴情報取得手段によって取得されたＣＭ視聴情報をＣＭ提供会社のサーバに送信するＣＭ視聴情報送信手段と、を備えた受信装置と、受信装置から受信するＣＭ視聴情報を蓄積するＣＭ視聴情報蓄積手段と、ＣＭ視聴情報蓄積手段によって蓄積されたＣＭ視聴情報を基に各契約ユーザに支払うためのＣＭ視聴料を算出するＣＭ視聴料算出手段と、を備えたサーバと、からなることを特徴とする。
【００１６】
また、第２の発明の広告情報提供システムは、ＣＭ提供会社との契約ユーザが備えている受信装置であって、視聴したいテレビ放送番組の予約設定を行う番組予約手段と、予約設定されたテレビ放送番組を受信する放送番組受信手段と、予約設定されたテレビ放送番組受信時にＣＭ提供会社が送信するＣＭを受信するＣＭ受信手段と、放送番組受信手段によって受信されたテレビ放送番組にＣＭ受信手段で受信したＣＭを挿入してメモリに記憶する番組記憶制御手段と、予約手段によって予約設定された予約放送番組情報を表示する予約番組情報表示手段と、表示された予約放送番組情報のうちのメモリに記憶された放送番組の再生指示を行う番組再生指示手段と、メモリに記憶されているＣＭを挿入したテレビ放送番組のうち番組再生指示手段によって再生指示された番組を再生する番組再生手段と、番組再生手段による番組再生時にＣＭ視聴情報を取得するＣＭ視聴情報取得手段と、ＣＭ視聴情報取得手段によって取得されたＣＭ視聴情報をＣＭ提供会社のサーバに送信するＣＭ視聴情報送信手段と、を備えた受信装置と、受信装置から受信するＣＭ視聴情報を蓄積するＣＭ視聴情報蓄積手段と、ＣＭ視聴情報蓄積手段によって蓄積されたＣＭ視聴情報を基に各契約ユーザに支払うためのＣＭ視聴料を算出するＣＭ視聴料算出手段と、を備えたサーバと、からなることを特徴とする。
【００１７】
また、第３の発明は上記第１又は第２の発明の広告情報提供システムにおいて、テレビ放送番組は有料テレビ放送番組であることを特徴とする。
【００１８】
また、第４の発明の広告情報提供システムは、テレビ放送番組にＣＭを付加してメモリに記憶する番組記憶制御手段と、メモリに記憶されているＣＭを付加したテレビ放送番組を有線回線を介して複数の契約ユーザが備える受信装置に送信する番組送信手段と、を備えたＣＡＴＶ局の有線テレビ番組送受信装置と、ＣＡＴＶ局との各契約ユーザが備える受信装置であって、有線テレビ放送番組を受信して番組再生手段に送信するテレビ放送番組送受信手段と、番組再生手段へのテレビ放送番組の送信時に有線テレビ番組送受信装置側で付加したＣＭの視聴情報を取得するＣＭ視聴情報取得手段と、ＣＭ視聴情報取得手段によって取得されたＣＭ視聴情報をサーバに送信するＣＭ視聴情報送信手段と、を備えた受信装置と、契約ユーザが備える受信装置から受信するＣＭ視聴情報を蓄積するＣＭ視聴情報蓄積手段と、ＣＭ視聴情報蓄積手段によって蓄積されたＣＭ視聴情報を基に各契約ユーザに支払うためのＣＭ視聴料を算出するＣＭ視聴料算出手段と、を備えたサーバと、からなることを特徴とする。
【００１９】
第５の発明の広告情報提供システムは、テレビ放送番組にＣＭを付加してメモリに記憶する番組記憶制御手段と、メモリに記憶されているＣＭを付加したテレビ放送番組を有線回線を介して複数の契約ユーザの受信装置に送信する番組送信手段と、を備えたＣＡＴＶ局の有線テレビ番組送受信装置と、ＣＡＴＶ局との各契約ユーザが備える受信装置であって、視聴したいテレビ放送番組の予約設定を行う番組予約手段と、予約設定されたテレビ放送番組を受信する放送番組受信手段と、放送番組受信手段によって受信されたテレビ放送番組を記憶するメモリと、予約手段によって予約設定された予約放送番組情報を表示する予約番組情報表示手段と、表示された予約放送番組情報のうちメモリに記憶された放送番組の再生指示を行う番組再生指示手段と、メモリに記憶されているテレビ放送番組のうち番組再生指示手段によって再生指示された番組を再生する番組再生手段と、番組再生手段による番組再生時に有線テレビ番組送受信装置側で付加したＣＭの視聴情報を取得するＣＭ視聴情報取得手段と、ＣＭ視聴情報取得手段によって取得されたＣＭ視聴情報をＣＭ提供会社のサーバに送信するＣＭ視聴情報送信手段と、を備えた受信装置と、契約ユーザの受信装置から受信するＣＭ視聴情報を蓄積するＣＭ視聴情報蓄積手段と、ＣＭ視聴情報蓄積手段によって蓄積されたＣＭ視聴情報を基に各契約ユーザに支払うためのＣＭ視聴料を算出するＣＭ視聴料算出手段と、を備えたサーバと、からなることを特徴とする。
【００２０】
また、第６の発明は上記第１又は第４の発明の広告情報提供システムにおいて、番組再生手段は受信装置を接続したテレビ受信装置であることを特徴とする。
【００２１】
また、第７の発明の広告情報提供方法は、ＣＭ提供会社との契約ユーザが備えている受信装置において、テレビ放送番組を受信する工程と、テレビ放送番組受信時にＣＭ提供会社が送信するＣＭを受信する工程と、受信されたテレビ放送番組にＣＭ受信したＣＭを付加してメモリに記憶する工程と、メモリに記憶されているＣＭ付加済みテレビ放送番組を再生する工程と、番組再生時にＣＭ視聴情報を取得する工程と、取得されたＣＭ視聴情報をＣＭ提供会社のサーバに送信する工程と、を備え、ＣＭ提供会社のサーバにおいて、受信装置からＣＭ視聴情報を受信してメモリに蓄積する工程と、蓄積されたＣＭ視聴情報を基に各契約ユーザに支払うためのＣＭ視聴料を算出する工程と、を備えた、ことを特徴とする。
【００２２】
また、第８の発明の広告情報提供方法は、ＣＭ提供会社との契約ユーザが備えている受信装置において、視聴したいテレビ放送番組の予約設定を行う工程と、予約設定されたテレビ放送番組を受信する工程と、予約設定されたテレビ放送番組受信時にＣＭ提供会社が送信するＣＭを受信する工程と、受信されたテレビ放送番組に受信したＣＭを付加してメモリに記憶する工程と、メモリに記憶された放送番組の再生指示を行う工程と、メモリに記憶されているＣＭ付加済みのテレビ放送番組のうち番組再生指示手段によって再生指示された番組を再生する工程と、番組再生時にＣＭ付加済みの番組の視聴情報を取得する工程と、取得されたＣＭ視聴情報をＣＭ提供会社のサーバに送信する工程と、を備え、ＣＭ提供会社のサーバにおいて、受信装置から受信するＣＭ視聴情報を蓄積する工程と、蓄積されたＣＭ視聴情報を基に各契約ユーザに支払うためのＣＭ視聴料を算出するＣＭ視聴料算出手段と、を備えた、ことを特徴とする。
【００２３】
また、第９の発明の広告情報提供方法は、ＣＡＴＶ局の有線テレビ番組送受信装置において、テレビ放送番組にＣＭを付加してメモリに記憶する工程と、メモリに記憶されているＣＭを付加したテレビ放送番組を有線回線を介して契約ユーザが備えている受信装置に送信する工程と、を備え、ＣＡＴＶ局との契約ユーザが備えている受信装置において、有線テレビ放送番組を受信して番組再生手段に送信する工程と、番組再生手段へのテレビ放送番組の送信時に有線テレビ番組送受信装置側で付加したＣＭの視聴情報を取得する工程と、取得したＣＭ視聴情報をＣＡＴＶ局のサーバに送信する工程と、を備え、ＣＡＴＶ局のサーバにおいて、契約ユーザが備えている受信装置から受信するＣＭ視聴情報を蓄積する工程と、蓄積されたＣＭ視聴情報を基に各契約ユーザに支払うためのＣＭ視聴料を算出する工程と、を備えた、ことを特徴とする。
【００２４】
また、第１０の発明の広告情報提供方法は、ＣＡＴＶ局の有線テレビ番組送受信装置において、テレビ放送番組にＣＭを付加してメモリに記憶する工程と、メモリに記憶されているＣＭを付加したテレビ放送番組を有線回線を介して契約ユーザが備えている受信装置に送信する工程と、を備え、ＣＡＴＶ局との契約ユーザが備えている受信装置において、視聴したいテレビ放送番組の予約設定を行う工程と、予約設定されたテレビ放送番組を受信する工程と、放送番組受信手段によって受信されたテレビ放送番組をメモリに記憶する工程と、メモリに記憶された放送番組の再生指示を行う工程と、メモリに記憶されているテレビ放送番組のうち再生指示された番組を再生する工程と、番組再生時に有線テレビ番組送受信装置側で付加したＣＭの視聴情報を取得する工程と、取得されたＣＭ視聴情報をサーバに送信する工程と、を備え、ＣＡＴＶ局のサーバにおいて、契約ユーザが備えている受信装置から受信するＣＭ視聴情報を蓄積する工程と、蓄積されたＣＭ視聴情報を基に各契約ユーザに支払うためのＣＭ視聴料を算出する工程と、を備えた、ことを特徴とする。
【００２５】
【発明の実施の形態】
［第１の実施の形態］
図１は本発明の広告情報提供システムの構成例を示す図であり、広告提供システム１００は、テレビ放送番組の契約ユーザ１と、専用受信機９と接続するテレビ受信装置２と、公共放送局４と、ＣＭ提供会社７と、公共放送局４のテレビ放送番組にＣＭ提供会社から送信されるＣＭを受信する専用受信機９と、ＣＭ提供会社７に自社ＣＭの放映を委託した企業１２−１、１２−２、１２−３、・・・（以下、企業１２）と、からなる。
【００２６】
また、図１で符号３は公共放送局の放送を、符号５は契約ユーザ１と公共放送局４の間で結ぶ受信契約を、符号６は受信契約５に基いて契約ユーザ１が公共放送局に支払う受信料を、符号８は契約ユーザ１とＣＭ提供会社の間で結ぶＣＭ受信契約を、符号１０はＣＭ提供会社７から専用受信機９に送信されるＣＭを、符号１１はＣＭ視聴回数に応じてＣＭ提供会社７から契約ユーザ１に支払われるＣＭ視聴料を、符号１３は企業１２からＣＭ提供会社７に支払われる提供料を、符号１４は視聴回数を意味する。
【００２７】
契約ユーザ１が自分のテレビ受信装置２で公共放送局の放送３を視聴しようとする場合、契約ユーザ１は公共放送局４と受信契約５を結び受信料６を支払う。ここで、ＣＭ提供会社７は契約ユーザ１とＣＭ受信契約８を交した場合は専用受信機９を契約ユーザ１に貸与し、契約ユーザ１は貸与された専用受信機９をテレビ受信装置２に接続するようにする。
【００２８】
契約ユーザ１が公共放送局の放送３を視聴するため専用受信機９のスイッチを入れると、専用受信機９は公共放送局の放送３を受信してメモリ（例えば、ハードディスク）に記憶する。この際、専用受信機９はＣＭ提供会社７から送信されるＣＭ１０を受信し、再生時に公共放送局の放送３の番組の間にＣＭ１０が挿入されて再生されるように番組と対応付けてメモリに記憶する（図３参照）。
【００２９】
公共放送局の放送３の番組のメモリへの記憶と略同時にメモリに記憶された公共放送局の放送３の番組及びその間に対応付けられたＣＭ１０が順次メモリから読み出され、テレビ受信装置２で再生されるので、契約ユーザ１はＣＭ１０付き公共放送局の放送３の番組を視聴することができる。
【００３０】
なお、再生時には、ＣＭ１０の視聴回数がカウントされると共にメモリに記憶された公共放送局の放送３の番組及びＣＭ１０は消去される。また、再生後、カウントされたＣＭ視聴回数がＣＭ提供会社７のサーバ（図２参照）に送信される。ＣＭ提供会社７は契約ユーザ１のＣＭ視聴回数に応じてＣＭ視聴料を算出し、契約ユーザ１に支払う。ここで、ＣＭ提供会社７は企業１２からのＣＭ提供料１３（広告収入等）で運営される。
【００３１】
なお、図１では放送事業者として公共放送局４を例としたがＣＭ収入で運営される民放及び受信料で運営される放送事業者（公共放送局も含む）でもよい。この場合、図１の公共放送局の放送３は民放テレビ放送番組又は有料テレビ放送番組と読みかえるものとする。
【００３２】
図２は専用受信装置の一実施例としての専用受信機９及びＣＭ提供会社７のサーバ２０の構成例を示す機能ブロック図であり、図３はメモリ内でのテレビ放送番組及びテレビ放送番組に挿入されるＣＭの対応付けを示す図である。
【００３３】
図２で、専用受信機９は、選局部９１、テレビ放送番組受信部９２、ＣＭ受信部９３、番組記憶制御部９４、メモリ９５、番組読出部９６、ＣＭ視聴情報取得部９７及びＣＭ視聴情報送信部９８を備えている。なお、図１、図２では番組再生部としてのテレビ受信装置２に専用受信機９を接続するように構成したが、専用受信機９に番組再生部を組み込むか、或いはテレビ受信装置２に専用受信機９を組み込むようにしてもよい。
【００３４】
選局部９１は契約ユーザ１の操作があると各テレビ放送局の放送チャンネルを選局する。なお、図１の例で公共放送局或いは特定の放送局のテレビ放送番組のみを受信可能にチャンネルを固定した場合は選局部９１は設けなくてもよい。
【００３５】
テレビ放送番組受信部９２は選局部９１で選局されたテレビ放送局（又は特定の放送局）のテレビ放送番組を受信する。また、ＣＭ受信部９３はＣＭ提供会社７から送信されるＣＭ１０を受信する。
【００３６】
番組記憶制御部９４は、テレビ放送番組受信部９２で受信したテレビ放送番組を図３に示すようにメモリ９５のテレビ放送番組記憶領域９５−１に循環的に記憶すると共に、ＣＭ受信部９３で受信したＣＭ１０をメモリ９５のＣＭ記憶領域９５−２に順次記憶する。また、番組記憶制御部９４はテレビ放送番組記憶領域９５−１に記憶されたテレビ放送番組の中でＣＭ記憶領域９５−２に記憶されたＣＭの挿入位置を対応付ける。つまり、再生時にテレビ放送番組の間にＣＭ１０が挿入されて再生されるように番組と対応付けてメモリに記憶する。
【００３７】
図３の例では、ＣＭ記憶領域９５−２に記憶されるＣＭ１０−１，１０−２、・・・の先頭にテレビ放送番組記憶領域９５−１に循環的に記憶されるテレビ放送番組内でのＣＭ挿入位置を示す挿入位置情報３０−１、３０−２、・・・が記憶されており、ＣＭ１０−１、ＣＭ１０−２、・・は挿入位置情報３０−１、３０−２、・・・テレビ放送番組記憶領域９５−１に循環的に記憶されるテレビ放送番組のシーン１とシーン２の間にＣＭ１０−１が位置するように対応付けられ、シーン２とシーン３の間にＣＭ１０−２が位置するように対応付けられ、シーン３とシーン４の間にＣＭ１０−１が位置するように対応付けられ、シーン４とシーン５の間にＣＭ１０−２が位置するように対応付けられている。なお、ＣＭ１０−１、ＣＭ１０−２は複数のＣＭを含んでもよい。
【００３８】
また、テレビ放送番組記憶領域９５−１に記憶されるテレビ放送番組は番組のシーン全てを記憶する必要はない。つまり、後述するように番組読出部９６により読み出されたテレビ放送番組データは順次消去されるので、テレビ放送番組記憶領域９５−１にはテレビ放送番組受信部９２で受信したテレビ放送番組を循環的に記憶すればよい。
【００３９】
メモリ９５はハードディスクのような保存記憶メモリ又はＤＲＡＭからなり、図３に示すようなテレビ放送番組記憶領域９５−１及びＣＭ記憶領域９５−２が確保されている。
【００４０】
また、番組読出部９６はテレビ放送番組記憶領域９５−１及びＣＭ記憶領域９５−２に記憶されたテレビ放送番組及びＣＭをテレビ放送番組（シーン１）→ＣＭ１０−１→テレビ放送番組（シーン２）→ＣＭ１０−２、・・・の順に読み出してテレビ受信装置（番組再生部）２に送信する。この際、番組読出部９６は読み出したテレビ放送番組データをメモリ９５から消去する。また、当該番組の視聴終了後にＣＭ記憶領域９５−２に記憶されたＣＭを消去する。
【００４１】
ＣＭ視聴情報取得部９７は番組読出部９６によってＣＭ１０が読み出される回数をカウントする。また、ＣＭ視聴情報送信部９８はＣＭ１０付きテレビ放送番組の視聴が終わるとＣＭ視聴情報取得部９７によって取得されるＣＭ視聴回数（＝ＣＭ視聴情報）をＣＭ提供会社７のサーバ２０に送信すると共に、ＣＭ視聴情報取得部９７のカウンタをクリアする。
【００４２】
（ＣＭ提供会社のサーバ）
また、ＣＭ提供会社７のサーバ２０はＣＭ視聴情報蓄積手段２１及びＣＭ視聴料算出手段２２を備えており、ＣＭ視聴情報蓄積手段２１は専用受信機９から送信される番組毎のＣＭ視聴回数を受信して、契約ユーザ別、チャンネル別、番組別に保存記憶メモリ（図示略）に蓄積する。また、ＣＭ視聴料算出手段２２は定期的（例えば毎月２０日）に保存記憶メモリに蓄積されたＣＭ視聴回数を契約ユーザ別に合計し、その合計回数に応じたＣＭ視聴料を計算して出力（例えば、印刷出力）する。なお、保存記憶メモリに蓄積された契約ユーザ別、チャンネル別、番組別ＣＭ視聴回数を集計してＣＭ視聴率を推計する手段を備えるようにしてもよい。また、この集計結果や推計結果を企業別に分けて各企業１２に提供するようにしてもよい。
【００４３】
＜変形例＞
また、上記図３の説明では、番組記憶制御部９４は、テレビ放送番組受信部９２で受信したテレビ放送番組を図３に示すようにメモリ９５のテレビ放送番組記憶領域９５−１に順次記憶すると共に、ＣＭ受信部９３で受信したＣＭをメモリ９５のＣＭ記憶領域９５−２に順次記憶するように構成したが、テレビ放送番組が民放テレビ放送番組のように既にＣＭが挿入されている番組の場合は、番組記憶制御部９４はテレビ放送番組受信部９２で受信したテレビ放送番組に挿入されているＣＭを削除してから番組をテレビ放送番組記憶領域９５−１に記憶すると共に、ＣＭ受信部９３で受信したＣＭをメモリ９５のＣＭ記憶領域９５−２に順次記憶する。また、番組記憶制御部９４はテレビ放送番組記憶領域９５−１に記憶されたテレビ放送番組の中でＣＭ記憶領域９５−２に記憶されたＣＭの挿入位置を対応付けるように構成してもよい。
【００４４】
［第２の実施の形態］
上記第１の実施の形態では、専用受信装置（専用受信機９）で契約ユーザが放送番組の受信操作を行うと放送局からのテレビ放送番組及びＣＭ提供会社からのＣＭ１０を受信してテレビ受信装置２にＣＭ挿入の放送番組を再生するようにしたが、これに限定されない。例えば、以下に述べる第２の実施の形態では専用受信装置で予約または放映中のテレビ放送番組の録画を行い、その際にＣＭ提供会社からのＣＭを受信して挿入し、再生モードでＣＭ挿入後の番組を再生する。
【００４５】
なお、以下の説明では本実施の形態の広告情報提供システムとして図１に示した広告提供システム１００を例とし、図１の専用受信機９に代えて非特許文献１に記載のハードディスクビデオレコーダのように大容量のハードディスクを内蔵し、映像と音声をデジタル信号に変換してハードディスクに記録する機能を有する高速録画／再生装置（図４）を専用受信装置として用いるものとする。
【００４６】
（専用受信装置）
図４は専用受信装置の一実施例としての高速録画／再生装置１５及びＣＭ提供会社７のサーバ２０の構成例を示す機能ブロック図である。なお、ＣＭ提供会社７のサーバ２０の構成及び機能は図２に示したサーバ２０の構成及び機能と同様である。
【００４７】
図４で、高速録画／再生装置１５は、予約部１５１、選局部１５２、テレビ放送番組受信部１５３、ＣＭ受信部１５４、番組記憶制御部１５５、記録部１５６、予約番組情報表示部１５７、再生／保存指示部１５８、再生部１５９、ＣＭ視聴情報取得部１６０及びＣＭ視聴情報送信部１６１を備えている。なお、図１、図４では番組表示部としてのテレビ受信装置２に高速録画／再生装置１５を接続するように構成したが、高速録画／再生装置１５に番組表示部を組み込むか、或いはテレビ受信装置２に高速録画／再生装置１５を組み込むようにしてもよい。
【００４８】
予約部１５１はＧコードを入力するキーと入力されたＧコードを基にチャンネル番号と放送時間を取得して録画予約設定を行う録画予約設定部と録画予約設定部により設定されたチャンネル番号及び予約番組の放送時間を保持する予約メモリを有しており、契約ユーザはキー操作によりＧコードを入力して録画予約を行うことができる。また、契約ユーザはキー操作により現在受信中の番組を録画する「予約なし録画」を選択することもできる。
【００４９】
「予約なし録画」を選択した場合は契約ユーザはキー入力部でチャンネルを選択し、チャンネルが選択されると予約部１５１は選択されたチャンネル番号及び現在の時刻を録画予約設定部によって設定されたチャンネル番号及び放送時間とみなし、予約メモリに保持する。なお、図１の例で公共放送局或いは特定の放送局のテレビ放送番組のみを受信可能にチャンネルを固定した場合は予約メモリには自動的に固定されたチャンネル番号が保持される。従って、「予約なし録画」を選択した場合はキー入力部でのチャンネルの選択入力を要しない。
【００５０】
選局部１５２は時計機構を備え、予約メモリを調べ、放送時間が到来している予約番組の放送チャンネルを選局する。なお、図１の例で公共放送局或いは特定の放送局のテレビ放送番組のみを受信可能にチャンネルを固定した場合は選局部１５２は設けなくてもよい。
【００５１】
テレビ放送番組受信部１５３は選局部１５２で選局されたテレビ放送局（又は特定の放送局）のテレビ放送番組を受信し、受信したテレビ放送番組の映像及び音声をデジタル信号に変換しバッファに記憶する。また、ＣＭ受信部１５４はＣＭ提供会社７から送信されるＣＭ１０を受信し、受信したＣＭ１０の映像及び音声をデジタル信号に変換しバッファに記憶する。
【００５２】
番組記憶制御部１５５は、テレビ放送番組受信部１５３で受信したテレビ放送番組（デジタル信号）を記録部１５６に順次記録すると共に、ＣＭ受信部１５４でＣＭ１０を受信すると受信中のテレビ放送番組（デジタル信号）をシフトさせ、ＣＭ（デジタル信号）を挿入して記録部１５６に記録する。また、番組記憶制御部１５５はテレビ放送番組受信中にＣＭ提供会社７からのＣＭ１０を受信したときのＣＭ（デジタル信号）の挿入位置及び受信中の放送番組（デジタル信号）のシフト後の記録位置を決定する。
【００５３】
記録部１５６は大容量のハードディスクを備え、ＣＭ１０が挿入された複数の放送番組を記録／読み出しすることができる。
【００５４】
また、予約番組情報表示部１５７は予約部１５１で録画予約した放送番組の番組情報を表示（例えば、一覧表示或いはサムネイル画像表示）する。また、この際、録画済の放送番組の番組情報の表示態様を未録画番組（ＣＭ提供会社７のＣＭ付き番組（以下、同じ））と異なるように変更して表示する。
【００５５】
再生／保存指示部１５８はキー（予約部１５１のキーと兼用可）又はカーソル或いはマウス等のポインティングデバイスを備えており、契約ユーザは再生／保存指示部１５８のキー等を操作して予約番組情報表示部１５７に表示されている録画済み番組の再生指示や保存記録及び録画した番組や保存記録した番組の消去を行うことができる。
【００５６】
再生部１５９は再生／保存指示部１５８で指示された録画済み番組に対応する番組データ（デジタル信号）を記録部１５６から読み出して映像信号及び音声信号に復元し、復元された映像信号及び音声信号をテレビ受信装置（番組表示部）２に送出する。
【００５７】
ＣＭ視聴情報取得部１６０は再生部１５９によってＣＭ１０が読み出される回数をカウントする。また、ＣＭ視聴情報送信部１６１はＣＭ１０付きテレビ放送番組の視聴が終わるとＣＭ視聴情報取得部１６０によって取得されるＣＭ視聴回数（＝ＣＭ視聴情報）をＣＭ提供会社７のサーバ２０に送信すると共に、ＣＭ視聴情報取得部１６０のカウンタをクリアする。
【００５８】
＜変形例＞
上記図４の説明では、番組記憶制御部１５５は、テレビ放送番組受信部１５３で受信したテレビ放送番組（デジタル信号）にＣＭ提供会社７からのＣＭ１０（デジタル信号）を挿入して記録部１５６に記録するように構成したが、テレビ放送番組が民放テレビ放送番組のように既にＣＭが挿入されている番組の場合は、番組記憶制御部１５５はテレビ放送番組受信部１５３で受信したテレビ放送番組に挿入されているＣＭを削除してＣＭ受信部１５４で受信したＣＭに置き換えて記録部１５６に記録するように構成してもよい。
【００５９】
［第３の実施の形態］
図５は本実施の形態における広告情報提供システムの構成例を示す図であり、広告提供システム３００は、ＣＡＴＶ（ケーブルテレビ）のユーザのうちＣＡＴＶ局５０が付加したＣＭ付きテレビ放送番組を視聴する代わりに視聴回数に応じてＣＭ視聴料の支払（或いは、ＣＡＴＶ受信料との相殺）を受けるＣＭ視聴契約ユーザ（以下、単に契約ユーザ）３０と、ＣＡＴＶ専用受信機３２と接続するテレビ受信装置３１と、ＣＡＴＶ局５０で選択されたテレビ放送局４０のテレビ放送番組又はＣＡＴＶ局５０の自主製作の放送番組をケーブル５８を介して受信し、接続されているテレビ受信装置３１に送出する専用受信機３２と、テレビ放送局４０と、ＣＡＴＶ局５０と、ＣＡＴＶ局５０と専用受信機３２を接続するケーブル５８とＣＡＴＶ局５０に自社ＣＭの放映を委託した企業６０−１、６０−２、６０−３、・・・（以下、企業６０）と、からなる。
【００６０】
また、図５で符号３３はＣＡＴＶ局５０と契約ユーザ３０との間で結ぶＣＡＴＶ受信契約を、符号３４はＣＡＴＶ局５０と契約ユーザ３０との間で結ぶＣＭ受信契約を、符号３５はＣＭ受信契約３４に基いてＣＡＴＶ局５０が契約ユーザ３０に支払うＣＭ視聴料を、符号３６は専用受信機３２からＣＡＴＶ局５０に送られるＣＭ視聴回数を、符号４１は契約に基いて複数のテレビ放送局４０からＣＡＴＶ局５０が受信するテレビ放送番組を、符号４２はケーブル５８を介してＣＡＴＶ局５０から専用受信機３２に送信される有線テレビ放送（ＣＡＴＶ局５０によるＣＭの付加なし）を、符号４３はケーブル５８を介してＣＡＴＶ局５０から専用受信機３２に送信される有線テレビ放送（ＣＡＴＶ局５０によるＣＭ付加あり）を、符号６１−１、６１−２、６１−３は各企業６０からＣＡＴＶ局５０に支払われる提供料を意味する。
【００６１】
契約ユーザ３０が自分のテレビ受信装置３１でＣＡＴＶ局５０を経由したテレビ放送局４０の放送番組４２又はＣＡＴＶ局５０でＣＭが付加されたテレビ放送局４０の放送番組（或いはＣＭを付加した自主製作番組）４３を視聴しようとする場合、契約ユーザ３０はＣＡＴＶ局５０とＣＡＴＶ受信契約３４を結びＣＡＴＶ受信料を支払う。ここで、契約ユーザ３０がＣＡＴＶ局５０とＣＭ受信契約３４を交した場合はＣＡＴＶ局５０は専用受信機３２を契約ユーザ３０に貸与し、契約ユーザ３０は貸与された専用受信機３２をテレビ受信装置３１に接続するようにする。
【００６２】
契約ユーザ３０がＣＡＴＶ局５０の放送番組４２又は４３を視聴するため専用受信機３２のスイッチを入れると、専用受信機３２はＣＡＴＶ局５０の放送番組４２又は４３を受信してテレビ受信装置３１に送出する。
この際、専用受信機３２は受信した放送番組にＣＡＴＶ局５０が付加したＣＭが含まれているか否かを調べ、ＣＡＴＶ局５０が付加したＣＭがある場合はそれをカウントする。また、ＣＡＴＶ局５０の放送番組の終了後、カウントされたＣＭ視聴回数がＣＡＴＶ局５０のサーバ４５（図６参照）に送信される。
ＣＡＴＶ局５０は契約ユーザ３０のＣＭ視聴回数に応じてＣＭ視聴料を算出し、ＣＭ視聴料−ＣＡＴＶ受信料＞０の場合はその差額を契約ユーザ３０に支払う。
【００６３】
図６はＣＡＴＶ局５０内の番組送受信装置とサーバの構成例を示す機能ブロック図である。
ＣＡＴＶ局５０は図６に示すような番組送受信装置５１とサーバ５５を備えており、番組送受信装置５１は、選局部５１１と、受信部５１２と、ＣＭ付加番組選定部５１３と、番組記憶制御部５１４と、番組記憶部５１５と、番組送信制御部５１６と、番組送信部５１７とを備えている。また、サーバ５５はＣＭ視聴情報蓄積手段５５１及びＣＭ視聴料算出手段５５２を備えている。
【００６４】
図６の番組送受信装置５１で、選局部５１１はＣＡＴＶ局５０が提携しているテレビ放送局４０の番組を選局し、受信部５１２は選局部５１１によって選局された番組を受信する。
【００６５】
また、ＣＭ付加番組選定部５１３は受信した放送番組及び自主放送番組のうちＣＡＴＶ局５０が契約している企業６０のＣＭを付加（挿入又は置換）する番組を自動的に選定し、番組記憶制御部５１４はＣＭ付加番組選定部５１３によって選定された番組に企業６０のＣＭを付加（挿入又は置換）して番組記憶部５１５に記憶する。また、番組記憶制御部５１４はＣＭ付加番組選定部５１３によって選定されなかった番組をそのまま番組記憶部５１５に記憶する。
【００６６】
ここで、番組記憶制御部５１４は放送番組が公共放送や自主製作番組のようにＣＭが挿入されていない番組の場合はＣＭの挿入を行い、民間テレビ局の放送番組のようにＣＭが挿入済みの番組の場合は挿入済みのＣＭをＣＡＴＶ局５０が契約している企業６０のＣＭで置換する。なお、民間テレビ局の放送番組のようにＣＭが挿入済みの番組にＣＡＴＶ局５０が契約している企業６０のＣＭを更に挿入するようにしてもよい。また、番組記憶制御部５１４は挿入又は置換したＣＭがＣＡＴＶ局５０が挿入又は置換したＣＭであることを識別可能な情報（例えば特定のコード）をＣＭに付加する。
【００６７】
また、番組記憶部５１５は有線放送する番組をチャンネル別放送時間別に記憶し、番組送信制御部５１６は番組記憶部５１５に記憶されている放送番組を番組表にしたがって取り出して番組送信部５１７に渡し、番組送信部５１７は番組送信制御部５１６から受け取った番組（映像信号及び音声信号）をケーブル５８を介して各契約ユーザ５０の専用受信機３２に送信する。
【００６８】
図６のサーバ５５で、ＣＭ視聴情報蓄積手段５５１は専用受信機３２から送信される番組毎のＣＭ視聴回数を受信して、ＣＭ受信契約ユーザ別、チャンネル別、番組別に保存記憶メモリ（図示略）に蓄積する。また、ＣＭ視聴料算出手段５５２は定期的（例えば毎月３０日）に保存記憶メモリに蓄積されたＣＭ視聴回数を契約ユーザ別に合計し、その合計回数に応じたＣＭ視聴料を計算して出力（例えば、印刷出力）する。なお、保存記憶メモリに蓄積された契約ユーザ別、チャンネル別、番組別ＣＭ視聴回数を集計してＣＭ視聴率を推計する手段を備えるようにしてもよい。また、この集計結果や推計結果を企業別に分けて各企業６０に提供するようにしてもよい。
【００６９】
図７は専用受信装置の一実施例としての専用受信機３２（図５）の構成を示すブロック図であり、専用受信機３２は、番組選択部３２１、放送番組送受信部３２２、ＣＭ視聴情報取得部３２３及びＣＭ視聴情報送信部３２４を備えている。なお、図５、図７では番組再生部としてのテレビ受信装置３１に専用受信機３２を接続するように構成したが、専用受信機３２に番組再生部を組み込むか、或いはテレビ受信装置３１に専用受信機３２を組み込むようにしてもよい。
【００７０】
番組選択部３２１は契約ユーザ３０による操作があるとＣＡＴＶ局５０の放送番組を選択する。放送番組送受信部３２２は番組選択部３２１で選択されたテレビ番組を受信して、テレビ受信装置３１に送信する。ＣＭ視聴情報取得部３２３は放送番組送受信部３２２からテレビ受信装置３１に送信した番組にＣＡＴＶ局５０で付加したＣＭがあるか否かを判定し、ＣＡＴＶ局５０で付加したＣＭがある場合はＣＡＴＶ局５０で付加したＣＭの数をカウントする。また、ＣＭ視聴情報送信部３２４はＣＭ付き番組の視聴が終わるとＣＭ視聴情報取得部３２３によって取得されるＣＭ視聴回数（＝ＣＭ視聴情報）をＣＡＴＶ局５０のサーバ５５に送信すると共に、ＣＭ視聴情報取得部３２３のカウンタをクリアする。
【００７１】
上記図５、図６及び図７の構成により、ＣＡＴＶ局５０でＣＭが付加された放送番組はケーブル５８を介して専用受信機３２に送信され、専用受信機３２では契約ユーザ３０が選択した番組をテレビ受信装置３１に送信するので契約ユーザはＣＡＴＶ局５０でＣＭが付加された番組か否かに拘わらずＣＡＴＶ局５０の有線放送番組を視聴することができるが、ＣＡＴＶ局５０でＣＭが付加された番組の視聴を選択した場合は専用受信機３２で自動的にＣＭ視聴回数がカウントされ、番組の視聴が終わるとＣＭ視聴回数がＣＡＴＶ局５０のサーバ５５に送信され、契約ユーザ３０別にメモリに蓄積され、ＣＡＴＶ局５０側ではＣＭ視聴回数を集計して期間内（例えば、１ヶ月間）のＣＭ視聴料を計算し、ＣＡＴＶ放送受信料−ＣＭ視聴料＞０の場合はその差額を契約ユーザに支払い、ＣＡＴＶ放送受信料−ＣＭ視聴料＜０の場合はその差額をＣＡＴＶ放送受信料として請求することができる。従って、契約ユーザ３０のＣＡＴＶ放送受信料負担は解消又は軽減する。
【００７２】
［第４の実施の形態］
上記第３の実施の形態では、専用受信装置（専用受信機３２）で契約ユーザがＣＡＴＶ放送放送番組の受信操作を行うとＣＡＴＶ放送局５０からの放送番組を受信してテレビ受信装置３１に送信すると共に、ＣＡＴＶ放送局５０で付加したＣＭの有無を判定するように構成したが、これに限定されない。例えば、以下に述べる第４の実施の形態では専用受信装置で予約または放映中のＣＡＴＶ放送番組の録画を行い、再生の際にＣＡＴＶ放送局５０で付加したＣＭの有無を判定する。
【００７３】
なお、以下の説明では本実施の形態の広告情報提供システムとして図５に示した広告提供システム３００を例とし、図５の専用受信機３２に代えて非特許文献１に記載のハードディスクビデオレコーダのように大容量のハードディスクを内蔵し、映像と音声をデジタル信号に変換してハードディスクに記録する機能を有する高速録画／再生装置３９（図８）を専用受信装置として用いるものとする。なお、ＣＡＴＶ局５０内の番組送受信装置及びサーバの構成及び機能は図６に示した番組送受信装置５１及びサーバ５５の構成及び機能と同様でよい。
【００７４】
（専用受信装置）
図８は専用受信装置の一実施例としての高速録画／再生装置３９の構成例を示す機能ブロック図である。なお、ＣＡＴＶ局５０のサーバ５５の構成及び機能は図７に示したサーバ４５の構成及び機能と同様でよい。
【００７５】
図８で、高速録画／再生装置３９は、予約部３９１、放送番組受信部３９２、記録部３９３、予約番組情報表示部３９４、再生／保存指示部３９５、再生部３９６、ＣＭ視聴情報取得部３９７及びＣＭ視聴情報送信部３９８を備えている。なお、図５、図８では番組表示部としてのテレビ受信装置３１に高速録画／再生装置３９を接続するように構成したが、高速録画／再生装置３９に番組表示部を組み込むか、或いはテレビ受信装置３１に高速録画／再生装置３９を組み込むようにしてもよい。
【００７６】
予約部３９１はＧコードを入力するキーと入力されたＧコードを基にチャンネル番号と放送時間を取得して録画予約設定を行う録画予約設定部と録画予約設定部により設定されたチャンネル番号及び予約番組の放送時間を保持する予約メモリを有しており、契約ユーザはキー操作によりＧコードを入力して録画予約を行うことができる。また、契約ユーザはキー操作により現在受信中の番組を録画する「予約なし録画」を選択することもできる。
【００７７】
「予約なし録画」を選択した場合は契約ユーザはキー入力部でチャンネルを選択し、チャンネルが選択されると予約部３９１は選択されたチャンネル番号及び現在の時刻を録画予約設定部によって設定されたチャンネル番号及び放送時間とみなし、予約メモリに保持する。
【００７８】
テレビ放送番組受信部３９２は時計機構を備え、予約メモリを調べて放送時間が到来している放送番組を受信し、受信した放送番組の映像及び音声をデジタル信号に変換しバッファに記憶する。
【００７９】
記録部３９３は大容量のハードディスクを備え、ＣＭが挿入された複数の放送番組を記録／読み出しすることができる。
【００８０】
また、予約番組情報表示部３９４は予約部３９１で録画予約した放送番組の番組情報を表示（例えば、一覧表示或いはサムネイル画像表示）する。また、この際、録画済の放送番組の番組情報の表示態様を未録画番組と異なるように変更して表示する。
【００８１】
再生／保存指示部３９５はキー（予約部３９１のキーと兼用可）又はカーソル或いはマウス等のポインティングデバイスを備えており、契約ユーザは再生／保存指示部３９５のキー等を操作して予約番組情報表示部３９４に表示されている録画済み番組の再生指示や保存記録及び録画した番組や保存記録した番組の消去を行うことができる。
【００８２】
再生部３９６は再生／保存指示部３９５で指示された録画済み番組に対応する番組データ（デジタル信号）を記録部３９３から読み出して映像信号及び音声信号に復元し、復元された映像信号及び音声信号をテレビ受信装置（番組表示部）３２に送信する。
【００８３】
ＣＭ視聴情報取得部３９７は再生部３９６からテレビ受信装置３１に送信した番組にＣＡＴＶ局５０で付加したＣＭがあるか否かを判定し、ＣＡＴＶ局５０で付加したＣＭがある場合はＣＡＴＶ局５０で付加したＣＭの数をカウントする。また、ＣＭ視聴情報送信部３９８はＣＭ付き放送番組の視聴が終わるとＣＭ視聴情報取得部３９７によって取得されたＣＭ視聴回数（＝ＣＭ視聴情報）をＣＡＴＶ局５０のサーバ５５に送信すると共に、ＣＭ視聴情報取得部３９７のカウンタをクリアする。
【００８４】
上記図５、図６及び図８の構成により、ＣＡＴＶ局５０でＣＭが付加された放送番組はケーブル５８を介して高速録画／再生装置３９に送信され、高速録画／再生装置３９では契約ユーザ３０が予約した番組を録画し、再生指示があるとテレビ受信装置３１に送信するがこの際、番組がＣＡＴＶ局５０でＣＭを付加した番組の場合は高速録画／再生装置３９で自動的にＣＭ視聴回数がカウントされ、番組の視聴が終わるとＣＭ視聴回数がＣＡＴＶ局５０のサーバ５５に送信されるので、第４の発明と同様、ＣＡＴＶ局５０側でＣＭ視聴回数を基に契約ユーザ別にＣＭ視聴料を計算し、ＣＡＴＶ放送料と相殺したり、ＣＭ視聴料とＣＡＴＶ放送料の差額を契約ユーザ３０に支払うことができるので、契約ユーザのＣＡＴＶ放送受信料負担は解消又は軽減する。
以上、本発明の一実施例について説明したが本発明は上記実施例に限定されるものではなく、種々の変形実施が可能であることはいうまでもない。
【００８５】
【発明の効果】
上記説明したように、第１の発明の広告情報提供システム及び第７の発明の広告情報提供方法によれば、テレビ放送番組にＣＭ提供会社からのＣＭを挿入して再生することができる。また、再生の際、ＣＭ視聴情報を取得してＣＭ提供会社のサーバに送信して、サーバ側でＣＭ視聴料を算出するのでＣＭ提供会社は契約ユーザのＣＭ視聴の度合いに応じてＣＭ視聴料を支払うことができる。従って、ＣＭ提供会社と契約した契約ユーザがＣＭ提供会社の提供するＣＭ入りのテレビ放送番組を視聴することでＣＭ提供会社からＣＭ視聴料を受け取ることができるので、契約ユーザは金銭的利益を得ることができる。また、ＣＭ提供会社のＣＭ付きのテレビ放送番組の視聴の動機付けがなされるので視聴率の向上が期待できる。
【００８６】
また、第２の発明の広告情報提供システム及び第８の発明の広告情報提供方法によれば、予約したテレビ放送番組にＣＭ提供会社からのＣＭを挿入してメモリに記憶しておき、再生指示により再生することができる。また、再生の際、ＣＭ視聴情報を取得し、ＣＭ提供会社のサーバに送信し、サーバ側でＣＭ視聴料を算出するのでＣＭ提供会社は契約ユーザのＣＭ視聴の度合いに応じてＣＭ視聴料を支払うことができ、第１の発明と同様に契約ユーザは金銭的利益を得ることができる。また、同様に、ＣＭ提供会社のＣＭ付きのテレビ放送番組の視聴の動機付けがなされるので視聴率の向上が期待できる。
【００８７】
第３の発明の広告情報提供システムによれば、ＣＭ提供会社からＣＭ視聴料を受け取ることができるので、契約ユーザは有料テレビ放送受信料の金銭的負担を軽減又は全く負担をなくすことができる。
【００８８】
第４の発明の広告情報提供システムによれば、受信したテレビ放送番組に挿入済みのＣＭをＣＭ提供会社のＣＭで置換するので、ＣＭ提供会社は特徴のあるＣＭを提供することにより、ＣＭ視聴率を高めることができる。
【００８９】
また、第５の発明の広告情報提供システム及び第９の発明の広告情報提供方法によれば、テレビ放送番組にＣＡＴＶ局でＣＭを付加して契約ユーザの専用端末に送信し、再生の際（＝ユーザが視聴する際）、ＣＭ視聴情報を取得し、ＣＡＴＶ局のサーバに送信して、サーバ側でＣＭ視聴料を算出するのでＣＡＴＶ局は契約ユーザのＣＭ視聴の度合いに応じてＣＭ視聴料を支払うことができる。従って、ＣＡＴＶ局と契約したＣＭ視聴契約ユーザはＣＡＴＶ局での提供するＣＭ入りのテレビ放送番組を視聴することでＣＡＴＶ放送受信料とＣＭ視聴料を相殺したり、残額の支払を受けたりできるので、契約ユーザは金銭的利益を得ることができる。また、ＣＡＴＶ局のＣＭ付きのテレビ放送番組の視聴の動機付けがなされるのでＣＡＴＶ放送の視聴率の向上が期待できる。
【００９０】
また、第６の発明の広告情報提供システム及び第１０の発明の広告情報提供方法によれば、ＣＡＴＶ放送番組を予約してメモリに記憶（記録）しておき、再生指示により再生することができる。また、再生の際、ＣＡＴＶ局で付加したＣＭの視聴情報を取得し、ＣＭ提供会社のサーバに送信してサーバ側でＣＭ視聴料を算出するのでＣＭ提供会社は契約ユーザのＣＭ視聴の度合いに応じてＣＭ視聴料を支払うことができ、第５の発明と同様に契約ユーザは金銭的利益を得ることができる。また、同様に、ＣＡＴＶ局のＣＭ付きのテレビ放送番組の視聴の動機付けがなされるので視聴率の向上が期待できる。
【００９１】
また、第７の発明の広告情報提供システムによれば、番組再生手段として契約ユーザが所有するテレビ受信装置を用いることができるので、専用受信装置の構成が簡単になり、製造コストも安価となることが期待でき、ＣＭ提供会社による専用受信機の契約ユーザへの貸与が容易になる。
【図面の簡単な説明】
【図１】本発明の広告情報提供システムの構成例を示す図である。
【図２】専用受信装置の一実施例としての専用受信機及びＣＭ提供会社のサーバの構成例を示す機能ブロック図である。
【図３】メモリ内でのテレビ放送番組及びテレビ放送番組に挿入されるＣＭの対応付けを示す図である。
【図４】専用受信装置の一実施例としての高速録画／再生装置及びＣＭ提供会社のサーバの構成例を示す機能ブロック図である。
【図５】広告情報提供システムの他の構成例を示す図である。
【図６】ＣＡＴＶ局内の番組送受信装置とサーバの構成例を示す機能ブロック図である。
【図７】専用受信装置の一実施例としての専用受信機の構成を示すブロック図である。
【図８】専用受信装置の一実施例としての高速録画／再生装置の構成例を示す機能ブロック図である
【符号の説明】
１、３０　契約ユーザ
２、３１　テレビ受信装置（番組再生手段）
７　ＣＭ提供会社
９、３２　専用受信機（契約ユーザが備えている受信装置）
１０、１０−１、１０−２　ＣＭ
１５、３９　高速録画／再生装置（契約ユーザが備えている受信装置）
２０、４５　サーバ
２１、４５１　ＣＭ視聴情報蓄積手段
２２、４５２　ＣＭ視聴料算出手段
４０　テレビ放送局
５０　ＣＡＴＶ局
５１　有線テレビ番組送受信部
５８　ケーブル（有線回線）
９２　テレビ放送番組受信部（放送番組受信手段）
９３　ＣＭ受信部（ＣＭ受信手段）
９４　番組記憶制御部（番組記憶制御手段）
９５　メモリ
９６　番組読出部
９７、１６０、３２３、３９７　ＣＭ視聴情報取得部（ＣＭ視聴情報取得手段）
９８、１６１、３２４，３９８　ＣＭ視聴情報送信部（ＣＭ視聴情報送信手段）
１５１　予約部（番組予約手段）
１５６、３９３　記録部（メモリ）
１５８　番組再生／保存指示部（番組再生指示手段）
１５９、３９６　再生部（番組再生手段）
３２２　放送番組送受信部（放送番組送受信手段）
５１４　番組記憶制御部（番組記憶制御手段）
５１５　記憶部（メモリ）
５１６　番組送信制御部（番組送信手段）
５１７　番組送信部（番組送信手段）
【図１】
2004112441.tif 000003
【図２】
2004112441.tif 000004
【図３】
2004112441.tif 000005
【図４】
2004112441.tif 000006
【図５】
2004112441.tif 000007
【図６】
2004112441.tif 000008
【図７】
2004112441.tif 000009
【図８】
2004112441.tif 000010